(57)【要約】  車両（１）の動力源であるエンジン（１０）と、蓄電装置（１３）と、車両の走行状態を変化させる走行用装置（３０）を蓄電装置からの電力を消費して作動させることで運転者の操作を支援するアシスト装置（１２）と、蓄電装置からの電力を消費してエンジンを始動させる始動装置（１１）とを備え、エンジンを停止して惰性により車両を走行させる惰性走行の実行時において、エンジンに関する物理量に基づいて自動的に始動装置によってエンジンを始動させ、かつ、アシスト装置が走行用装置を作動させている間は始動を禁止する。
2011135725.tif 000002
【特許請求の範囲】
【請求項１】
車両の動力源であるエンジンと、
蓄電装置と、
前記車両の走行状態を変化させる走行用装置を前記蓄電装置からの電力を消費して作動させることで運転者の操作を支援するアシスト装置と、
前記蓄電装置からの電力を消費して前記エンジンを始動させる始動装置とを備え、
前記エンジンを停止して惰性により前記車両を走行させる惰性走行の実行時において、前記エンジンに関する物理量に基づいて自動的に前記始動装置によって前記エンジンを始動させ、かつ、前記アシスト装置が前記走行用装置を作動させている間は前記始動を禁止する
ことを特徴とする車両制御システム。
【請求項２】
前記アシスト装置は、前記走行用装置の操作部材に対してなされた運転者の操作をアシストして前記走行用装置を作動させるものであり、
前記物理量は、前記操作部材に対する操作により値が減少し、かつ前記エンジンが運転することで回復するものである
請求項１に記載の車両制御システム。
【請求項３】
前記走行用装置は、前記車両を制動する制動装置であり、
前記アシスト装置は、前記運転者による制動操作をアシストし、前記蓄電装置からの電力を消費して前記制動装置を作動させるものであって、
前記物理量とは、前記制動装置の倍力装置に導入される前記エンジンの負圧である
請求項２に記載の車両制御システム。
【請求項４】
前記アシスト装置による前記走行用装置の作動が終了すると、前記始動の禁止を解除する
請求項２に記載の車両制御システム。
【請求項５】
前記惰性走行の実行時において、前記アシスト装置が作動すると予測される走行環境が先方に存在する場合、前記アシスト装置が前記走行用装置を作動させる前であっても前記始動装置によって前記エンジンを始動させることを禁止する
請求項２に記載の車両制御システム。
【請求項６】
前記惰性走行の実行時において、前記操作部材に対する操作がなされると予測される走行環境、あるいは前記アシスト装置が作動すると予測される走行環境の少なくともいずれか一方が先方に存在する場合、前記アシスト装置の作動前に前記始動装置によって前記エンジンを始動させる
請求項２に記載の車両制御システム。
【請求項７】
前記操作部材に対する操作がなされると予測される走行環境において実際に前記操作がなされたとしても前記物理量が前記エンジンの始動要求がなされる値とならないと予測される場合には、前記エンジンを始動させない
請求項６に記載の車両制御システム。
【請求項８】
前記操作部材に対する操作がなされると予測される走行環境、あるいは前記アシスト装置が作動すると予測される走行環境の少なくともいずれか一方が先方に存在する場合、いずれの走行環境も先方に存在しない場合よりも大きな前記負圧において前記エンジンの始動要求がなされる
請求項３に記載の車両制御システム。
【請求項９】
車両の動力源であるエンジンと、
蓄電装置と、
前記車両の走行状態を変化させる走行用装置を前記蓄電装置からの電力を消費して作動させることで運転者の操作を支援するアシスト装置と、
前記蓄電装置からの電力を消費して前記エンジンを始動させる始動装置とを備え、
前記エンジンを停止して惰性により前記車両を走行させる惰性走行の実行時において、前記走行用装置の操作部材に対する操作がなされると予測される走行環境、あるいは前記アシスト装置が作動すると予測される走行環境の少なくともいずれか一方が先方に存在する場合、前記アシスト装置の作動前に前記始動装置によって前記エンジンを始動させる
ことを特徴とする車両制御システム。
【請求項１０】
更に、前記エンジンを始動させるか否かが、前記操作部材に対する操作によって値が変化する前記エンジンに関する物理量に基づいて決定される
請求項９に記載の車両制御システム。
【発明の詳細な説明】
【技術分野】
【０００１】
本発明は、車両制御システムに関する。
【背景技術】
【０００２】
従来、自動でエンジンを停止させることが可能な車両において、エンジンの停止中に予め定められた条件に基づいて自動でエンジンを始動させる技術が知られている。【０００３】
例えば、特許文献１には、ブレーキブースタの負圧を検出するセンサを設け、エンジン停止中に負圧が所定値以下に低下したときにエンジンを始動させるエンジンの自動停止始動装置の技術が開示されている。
【先行技術文献】
【特許文献】
【０００４】
【特許文献１】特開２０００−３１０１３３号公報
【発明の概要】
【発明が解決しようとする課題】
【０００５】
ここで、エンジンの始動が、バッテリ等の蓄電装置からの電力を消費してエンジンを始動させる始動装置によってなされる場合、エンジン始動時に蓄電装置において電圧低下が生じる。また、車両には、走行時に蓄電装置からの電力を消費して走行用装置（例えば、ブレーキ）を作動させるアシスト装置が設けられている場合がある。アシスト装置が搭載された車両において、走行時に自動でエンジンを始動させる場合の始動タイミングについて、従来十分な検討がなされていない。例えば、アシスト装置の作動とエンジンの始動による蓄電装置の電圧低下とが重なることを抑制することが望まれている。【０００６】
本発明の目的は、蓄電装置からの電力を消費して走行用装置を作動させるアシスト装置が搭載された車両において、自動でエンジンを始動させる場合にアシスト装置の作動とエンジンの始動とが重なることを抑制できる車両制御システムを提供することである。
【課題を解決するための手段】
【０００７】
本発明の車両制御システムは、車両の動力源であるエンジンと、蓄電装置と、前記車両の走行状態を変化させる走行用装置を前記蓄電装置からの電力を消費して作動させることで運転者の操作を支援するアシスト装置と、前記蓄電装置からの電力を消費して前記エンジンを始動させる始動装置とを備え、前記エンジンを停止して惰性により前記車両を走行させる惰性走行の実行時において、前記エンジンに関する物理量に基づいて自動的に前記始動装置によって前記エンジンを始動させ、かつ、前記アシスト装置が前記走行用装置を作動させている間は前記始動を禁止することを特徴とする。【０００８】
上記車両制御システムにおいて、前記アシスト装置は、前記走行用装置の操作部材に対してなされた運転者の操作をアシストして前記走行用装置を作動させるものであり、前記物理量は、前記操作部材に対する操作により値が減少し、かつ前記エンジンが運転することで回復するものであることが好ましい。【０００９】
上記車両制御システムにおいて、前記走行用装置は、前記車両を制動する制動装置であり、前記アシスト装置は、前記運転者による制動操作をアシストし、前記蓄電装置からの電力を消費して前記制動装置を作動させるものであって、前記物理量とは、前記制動装置の倍力装置に導入される前記エンジンの負圧であることが好ましい。【００１０】
上記車両制御システムにおいて、前記アシスト装置による前記走行用装置の作動が終了すると、前記始動の禁止を解除することが好ましい。【００１１】
上記車両制御システムにおいて、前記惰性走行の実行時において、前記アシスト装置が作動すると予測される走行環境が先方に存在する場合、前記アシスト装置が前記走行用装置を作動させる前であっても前記始動装置によって前記エンジンを始動させることを禁止することが好ましい。【００１２】
上記車両制御システムにおいて、前記惰性走行の実行時において、前記操作部材に対する操作がなされると予測される走行環境、あるいは前記アシスト装置が作動すると予測される走行環境の少なくともいずれか一方が先方に存在する場合、前記アシスト装置の作動前に前記始動装置によって前記エンジンを始動させることが好ましい。【００１３】
上記車両制御システムにおいて、前記操作部材に対する操作がなされると予測される走行環境において実際に前記操作がなされたとしても前記物理量が前記エンジンの始動要求がなされる値とならないと予測される場合には、前記エンジンを始動させないことが好ましい。【００１４】
上記車両制御システムにおいて、前記操作部材に対する操作がなされると予測される走行環境、あるいは前記アシスト装置が作動すると予測される走行環境の少なくともいずれか一方が先方に存在する場合、いずれの走行環境も先方に存在しない場合よりも大きな前記負圧において前記エンジンの始動要求がなされることが好ましい。【００１５】
本発明の車両制御システムは、車両の動力源であるエンジンと、蓄電装置と、前記車両の走行状態を変化させる走行用装置を前記蓄電装置からの電力を消費して作動させることで運転者の操作を支援するアシスト装置と、前記蓄電装置からの電力を消費して前記エンジンを始動させる始動装置とを備え、前記エンジンを停止して惰性により前記車両を走行させる惰性走行の実行時において、前記走行用装置の操作部材に対する操作がなされると予測される走行環境、あるいは前記アシスト装置が作動すると予測される走行環境の少なくともいずれか一方が先方に存在する場合、前記アシスト装置の作動前に前記始動装置によって前記エンジンを始動させることを特徴とする。【００１６】
上記車両制御システムにおいて、更に、前記エンジンを始動させるか否かが、前記操作部材に対する操作によって値が変化する前記エンジンに関する物理量に基づいて決定されることが好ましい。
【発明の効果】
【００１７】
本発明にかかる車両制御システムは、エンジンを停止して惰性により車両を走行させる惰性走行の実行時において、エンジンに関する物理量に基づいて自動的に始動装置によってエンジンを始動させるものであって、かつ、アシスト装置が走行用装置を作動させている間のエンジンの始動を禁止する。よって、本発明にかかる車両制御システムによれば、アシスト装置の作動とエンジンの始動とが重なることが抑制されるという効果を奏する。
【図面の簡単な説明】
【００１８】
【図１】図１は、第１実施形態にかかる車両制御システムの動作を示すフローチャートである。
【図２】図２は、第１実施形態にかかる車両の要部を示す概略構成図である。
【図３】図３は、第１実施形態の車両制御がなされる場合のタイムチャートである。
【図４】図４は、第２実施形態にかかる車両の要部を示す概略構成図である。
【図５】図５は、第２実施形態の車両制御がなされる場合のタイムチャートである。
【発明を実施するための形態】
【００１９】
以下に、本発明にかかる車両制御システムの一実施形態につき図面を参照しつつ詳細に説明する。なお、この実施形態によりこの発明が限定されるものではない。また、下記の実施形態における構成要素には、当業者が容易に想定できるものあるいは実質的に同一のものが含まれる。
【００２０】
（第１実施形態）
図１から図３を参照して、第１実施形態について説明する。本実施形態は、自動的にエンジンを始動させる車両制御システムに関する。図１は、本発明の第１実施形態にかかる車両制御システムの動作を示すフローチャート、図２は、本実施形態にかかる車両の要部を示す概略構成図である。
【００２１】
本実施形態にかかる車両（図２の符号１参照）は、停車中および走行中にエンジンを停止して燃費の向上を図ることが可能となっている。車両１は、エンジンの負圧を利用するブレーキブースタを備えている。エンジン負圧を利用するブレーキブースタでは、エンジンの停止中にブレーキペダルが数回踏まれると、ブレーキブースタの負圧が低下してしまう。その場合、エンジンが自動始動されることで負圧が確保されるが、エンジン始動のためにスタータを通電した直後は、その突入電流のためバッテリ電圧が低下した状態となる。
【００２２】
一方、車両１には、ＡＢＳ装置が搭載されており、急ブレーキなどにより、タイヤがロックしそうな場合、ＡＢＳ装置によりロックを防止することが可能である。ここで、ＡＢＳ装置が、バッテリからの電力を消費してブレーキを作動させるものである場合、ＡＢＳ装置の作動と、エンジン始動によるバッテリの電圧低下とが重ならないようにできることが望ましい。フリーラン走行中、もしくは停止前の減速中にエンジンが停止される車両では、車速が０でないときにもエンジンが停止されていることがあるため、エンジンの自動始動とＡＢＳ装置の作動が重なる可能性がある。
【００２３】
本実施形態の車両制御システムは、ＡＢＳ装置が作動している間はエンジンの始動を禁止する。車両制御システムは、ＡＢＳ装置によるブレーキの作動が終了（ＡＢＳ装置によるブレーキ油圧の制御が終了）した時点でエンジンを自動始動させる。よって、本実施形態の車両制御システムによれば、ＡＢＳ装置の作動とエンジンの始動によるバッテリの電圧低下とが重なることが抑制される。バッテリ電圧の低下が過大となることが抑制されることで、バッテリの劣化が抑制される。
【００２４】
本実施形態は、以下の（１）から（６）の構成要素を備えた車両を前提としている。
（１）走行中にエンジンを停止し、惰性走行可能なパワトレシステム。
（２）ブレーキシステム（ブレーキブースタ、ブースタ負圧検出装置）。
（３）スタータモータ。
（４）ＡＢＳ。
（５）バッテリ。
（６）ＥＣＵ。
【００２５】
図２において、符号１は、車両を示す。車両１は、動力源であるエンジン１０、ＡＢＳ装置１２、バッテリ１３、ブレーキブースタ１４およびブレーキ３０を備える。
【００２６】
エンジン１０は、公知の熱機関、例えば内燃機関である。エンジン１０は、スタータ１１を有する。スタータ１１は、バッテリ１３からの電力を消費してエンジン１０を始動させる始動装置である。スタータ１１は、例えば、公知のスタータモータであり、バッテリ１３からの電力により回転することでエンジン１０を回転させる。
【００２７】
バッテリ１３は、充放電が可能な蓄電装置である。バッテリ１３としては、例えば、鉛蓄電池を用いることができる。バッテリ１３は、スタータ１１およびＡＢＳ装置１２に電力を供給することができる。また、バッテリ１３は、エンジン１０の図示しないオルタネータで発電された電力によって充電されることができる。
【００２８】
ＡＢＳ装置１２は、運転者の制動操作をアシストするアシスト装置である。車両１の図示しない各車輪には、ブレーキ３０が配置されている。ブレーキ３０は、供給される油圧により制動力を発生させて車両１を制動する制動装置である。ブレーキ３０は、制動力によって車両１の走行状態を変化させる走行用装置である。ブレーキ３０としては、例えば、供給される油圧によりブレーキロータに対してブレーキパッドが押圧されることで制動力を発生させるディスクブレーキを用いることができる。ＡＢＳ装置１２は、バッテリ１３からの電力を消費してブレーキ３０を作動させることで運転者の操作（運転操作）を支援する。
【００２９】
車両１には、ブレーキ３０の操作部材である図示しないブレーキペダルが設けられている。ＡＢＳ装置１２は、ブレーキペダルに対してなされた運転者の操作をアシストしてブレーキ３０を作動させる。ＡＢＳ装置１２は、制動時に各車輪の車輪速度を検出し、ブレーキ３０に供給するブレーキ油圧を制御することで、車輪のロックを防止する。ＡＢＳ装置１２は、図示しないコントローラ、油圧ポンプおよびソレノイドバルブを有する。ＡＢＳ装置１２のコントローラは、検出された車輪速度に基づき、ソレノイドバルブを作動させて油圧ポンプからブレーキ３０に供給されるブレーキ油圧を調圧する。
【００３０】
ブレーキブースタ１４は、ブレーキ３０の倍力装置である。ブレーキブースタ１４は、エンジン１０の負圧を利用してブレーキペダルに対する踏力をアシストするものである。ブレーキブースタ１４の負圧室１５は、エンジン１０の図示しない吸気通路と接続されている。エンジン１０の運転時には、吸気通路が負圧となり、この負圧が負圧室１５に導入される。運転者によりブレーキペダルが踏み込まれると、負圧室１５の負圧と大気圧との差圧により踏力が倍力されてマスターシリンダに伝達される。ブレーキ操作によりブレーキブースタ１４が作動すると、ブレーキブースタ１４において負圧が消費され、エンジン１０の吸気通路から負圧室１５に負圧が供給される。車両１には、負圧室１５の負圧を検出する負圧センサ１６が設けられている。
【００３１】
車両１には、エンジン１０を含む車両１の各部を制御する電子制御ユニット（ＥＣＵ）２０が設けられている。ＥＣＵ２０は、エンジン１０と電気的に接続されており、エンジン１０の各種制御を実行する。例えば、ＥＣＵ２０は、エンジン１０における燃料の噴射量や噴射時期、点火時期等を制御する。また、ＥＣＵ２０は、エンジン１０の始動制御を実行する。エンジン１０を始動する場合、ＥＣＵ２０は、スタータ１１を作動させてエンジン１０のクランキングを行い、クランキングによりエンジン回転数が上昇するとエンジン１０への燃料の噴射および点火を行う。ＥＣＵ２０は、こうしたエンジン１０の制御を含む車両１の総合的な制御を行う。本実施形態の車両制御システム１−１は、エンジン１０、スタータ１１、バッテリ１３、ＡＢＳ装置１２およびＥＣＵ２０を備える。
【００３２】
ＥＣＵ２０は、エンジン１０を停止させて、エンジン抵抗損失（もしくはエンジンブレーキ損失）をなくし、惰性により車両１を走行させる惰性走行を実行可能である。惰性走行は、例えば、車両１の走行中にアクセルオフされた場合に実行されるものである。ＥＣＵ２０は、図示しないアクセルペダルに対する操作量を検出するセンサの検出結果に基づき、アクセルオフと判定すると惰性走行を実行する。車両１には、エンジン１０と車両１の図示しない駆動輪との間にクラッチが設けられている。このクラッチが係合された状態では、エンジン１０と駆動輪とが接続されて動力を伝達することができる。また、クラッチが開放された状態では、エンジン１０と駆動輪とは切り離されて動力を伝達することができない。ＥＣＵ２０は、惰性走行時には、エンジン１０と駆動輪との間のクラッチを開放し、エンジン１０の回転を停止させて車両１を走行させる。
【００３３】
このように、惰性走行時にはエンジン１０が停止しているため、ブレーキ操作がなされるごとに負圧が低下（減少）する。エンジン停止状態でブレーキ減速する場合、エンジン１０のインテーク負圧を利用することができないため、ブレーキペダルを踏むとブレーキブースタ負圧が低下し、特にブレーキペダルが複数回踏まれる（ポンピングブレーキ）場合、ブレーキブースタ負圧が大きく低下する。
【００３４】
ＥＣＵ２０は、ブレーキブースタ１４によるアシスト機能を維持するため、自動的にエンジン１０を始動させて負圧を確保する。ＥＣＵ２０は、負圧室１５の負圧が予め定められた閾値Ｐｔまで低下すると、スタータ１１によってエンジン１０を再始動して負圧を増加させる。この閾値Ｐｔは、ブレーキブースタ１４がその機能を果たすために必要な負圧の範囲に基づいて設定されている。閾値Ｐｔは、例えば、ブレーキブースタ１４が適切に倍力機能を発揮することができる負圧の下限に基づいて設定される。負圧室１５の負圧が閾値Ｐｔまで低下するとエンジン１０が始動されて負圧が増加することで、ブレーキブースタ１４が常時適切に倍力装置として機能することができる。このように、ＥＣＵ２０は、惰性走行の実行時において、エンジン１０に関する物理量である負圧室１５の負圧に基づいて自動的にエンジン１０を始動させる。
【００３５】
エンジン１０の始動のためのスタータ電流は、大電流であるため、エンジン始動時にはバッテリ電圧が大きく低下する。ここで、負圧の低下に伴うエンジン１０の再始動およびＡＢＳ装置１２の作動は、いずれもブレーキペダルの踏込み操作によって発生するものであるため、両者が重なって起こる可能性がある。例えば、ＡＢＳ装置１２が作動している間に負圧室１５の負圧が低下してエンジン１０の始動がなされると、ＡＢＳ装置１２の作動中にバッテリ１３の電圧低下が生じることとなる。このようにＡＢＳ装置１２の作動とエンジン始動によるバッテリ電圧の低下とが重なってしまうことを抑制することが望ましい。
【００３６】
本実施形態の車両制御システム１−１は、以下に説明するように、エンジン始動よりもＡＢＳ装置１２の作動を優先させる。ＡＢＳ装置１２の作動中にはエンジン１０の自動始動が禁止され、ＡＢＳ装置１２によるブレーキ３０の作動が終了するまでエンジン１０の始動が遅延される。このように、ＥＣＵ２０は、ＡＢＳ装置１２がブレーキ３０を作動させている間はスタータ１１によるエンジン１０の始動を禁止することで、ＡＢＳ装置１２の作動と、エンジン始動によるバッテリ１３の電圧低下とが重なることを抑制する。
【００３７】
図１および図３を参照して、本実施形態の動作について説明する。図３は、本実施形態の車両制御がなされる場合のタイムチャートの一例を示す図である。図３において、（ａ）はブレーキブースタ１４の負圧室１５の負圧であるブレーキブースタ負圧、（ｂ）はバッテリ１３の出力電圧を示す。図３に示すように、ブレーキペダルが踏まれるとブレーキブースタ負圧が低下し、ブレーキペダルがリリースされるときには、ブレーキペダルが踏まれるときよりも大きくブレーキブースタ負圧が低下する。
【００３８】
図１を参照して、まず、ステップＳ１０では、ＥＣＵ２０により、負圧室１５の負圧であるブレーキブースタ負圧がエンジン自動始動判定値未満であるか否かが判定される。エンジン自動始動判定値とは、エンジン１０を自動で始動するか否かを判定する負圧の閾値Ｐｔである。ＥＣＵ２０は、負圧センサ１６により検出された負圧室１５の負圧と予め定められた閾値Ｐｔとの比較結果に基づいてステップＳ１０の判定を行う。図３では、時刻ｔ１においてブレーキブースタ負圧が閾値Ｐｔを下回ってステップＳ１０において肯定判定がなされる状態となる。ステップＳ１０の判定の結果、ブレーキブースタ負圧がエンジン自動始動判定値未満であると判定された場合（ステップＳ１０−Ｙ）にはステップＳ２０に進み、そうでない場合（ステップＳ１０−Ｎ）には、肯定判定がなされるまでステップＳ１０の判定を繰り返す。
【００３９】
ステップＳ２０では、ＥＣＵ２０により、ＡＢＳ装置１２が作動中であるか否かが判定される。ＥＣＵ２０は、ＡＢＳ装置１２のコントローラとの通信によりＡＢＳ装置１２が作動中であるか否かを検出する。図３では、時刻ｔ１においてブレーキペダルが踏まれてＡＢＳ装置１２が作動を開始し、時刻ｔ２においてブレーキペダルがＯＦＦとなる（リリースされる）までＡＢＳ装置１２が作動し続ける。これにより、時刻ｔ１から時刻ｔ２まではステップＳ２０において肯定判定がなされる。ＡＢＳ装置１２の作動中は、次のステップＳ３０（エンジン自動始動）に進むことなくステップＳ２０の判定が繰り返されることで、エンジン１０の始動が禁止される。ステップＳ２０の判定の結果、ＡＢＳ装置１２が作動中であると判定された場合（ステップＳ２０−Ｙ）には、否定判定がなされる（ＡＢＳ装置１２の作動が終了する）までステップＳ２０の判定を繰り返し、ＡＢＳ装置１２が作動中であると判定されない場合（ステップＳ２０−Ｎ）にはステップＳ３０に進む。
【００４０】
ステップＳ３０では、ＥＣＵ２０により、エンジン１０の自動始動がなされる。ＡＢＳ装置１２によるブレーキ３０の作動が終了しているため、ＥＣＵ２０は、エンジン１０の始動禁止を解除し、スタータ１１を作動させてエンジン１０を回転させ、エンジン１０を始動する。図３では、時刻ｔ２においてＡＢＳ装置１２の作動が終了し、エンジン１０が始動される。エンジン１０が始動されることにより、負圧室１５のブレーキブースタ負圧が増加する（ステップＳ４０）と本制御フローは終了する。
【００４１】
このように、本実施形態の車両制御システム１−１では、ＡＢＳ装置１２が作動している（ステップＳ２０−Ｙ）間はエンジン１０の始動はなされず、ＡＢＳ装置１２の作動が終了する（ステップＳ２０−Ｎ）とエンジン１０が始動される。これにより、ＡＢＳ装置１２の作動とエンジン１０の始動によるバッテリ１３の電圧低下とが重なることが抑制される。ＡＢＳ装置１２の作動中にエンジン１０の始動がなされると、図３に符号Ａで示すように、バッテリ電圧の低下がＡＢＳ装置１２の作動と重なってしまう。これに対して、本実施形態の車両制御システム１−１では、矢印Ｙ１に示すように、エンジン１０の始動タイミングがＡＢＳ装置１２の作動終了まで遅延されることで、バッテリ電圧の低下とＡＢＳ装置１２の作動とが重なることが抑制される。また、ＡＢＳ装置１２の作動が終了するとエンジン１０が始動されてエンジン１０が運転することで負圧が増加する（回復する）ため、次にブレーキ操作がなされるまでの間に速やかにブレーキブースタ負圧を回復させておくことができる。
【００４２】
なお、本実施形態では、エンジン１０の始動よりも優先されるアシスト装置がＡＢＳ装置１２であったが、これには限定されない。アシスト装置として、例えば、ブレーキペダルが速く踏み込まれた場合にアクチュエータによって強い制動力を発生させるブレーキアシスト装置やブレーキ制御等により車輪の横滑りを緩和するＶＳＣ（Vehicle  Stability  Control）装置の作動がエンジン１０の始動よりも優先されてもよい。例えば、ＶＳＣ装置が作動しているときにブレーキペダルが踏まれて負圧室１５の負圧が閾値Ｐｔ未満まで低下したとしても、ＶＳＣ装置の作動中はエンジン１０の始動を禁止し、ＶＳＣ装置の作動終了後にエンジン１０を始動するようにすればよい。つまり、バッテリ１３の電力を消費してブレーキ３０を作動させるアシスト装置であってＡＢＳ装置１２以外のものをエンジン１０の始動よりも優先されるアシスト装置とすることができる。アシスト装置は、ブレーキペダルが踏まれているときに限らず作動するものであってもよい。
【００４３】
また、アシスト装置が作動させる走行用装置は、ブレーキ３０には限定されない。ブレーキ３０以外の走行用装置を作動させるアシスト装置がエンジン１０の始動よりも優先されてもよい。
【００４４】
（第１実施形態の変形例）
上記第１実施形態では、アシスト装置であるＡＢＳ装置１２が既に作動中である場合にエンジン１０の始動が禁止されたが、これに加えて、アシスト装置が作動すると予測される走行環境が先方に存在する場合、アシスト装置が走行用装置を作動させる前であってもエンジン１０の始動が禁止されてもよい。アシスト装置がＡＢＳ装置１２である場合を例に説明すると、ＡＢＳ装置１２が作動すると予測される走行環境が先方に存在するとは、例えば、先方にコーナが存在してブレーキ操作がなされることが予測され、かつ先方の路面がウエットであったり凍結していたりしてＡＢＳ装置１２の作動が予測されることである。これらの走行環境は、ナビゲーションシステム等の公知の装置により取得可能である。
【００４５】
アシスト装置が作動すると予測される走行環境が先方に存在する場合に、アシスト装置が走行用装置を作動させる前に予めエンジン１０の始動を禁止しておくことで、エンジン１０の始動とアシスト装置の作動とが重なることが抑制される。
【００４６】
（第２実施形態）
図４および図５を参照して第２実施形態について説明する。第２実施形態については、上記実施形態で説明したものと同様の機能を有する構成要素には同一の符号を付して重複する説明は省略する。
【００４７】
本実施形態の車両制御システム１−２が、上記第１実施形態の車両制御システム１−１と異なる点は、ＡＢＳ装置１２の作動とエンジン１０の始動とが重ならないように、ＡＢＳ装置１２の作動が予測される場合、ＡＢＳ装置１２の作動前に予めエンジン１０を始動させておく点である。つまり、上記第１実施形態では、ＡＢＳ装置１２の作動後にエンジン１０を始動させたが、本実施形態では、ＡＢＳ装置１２の作動前にエンジン１０を始動させる。図４は、本実施形態にかかる車両の要部を示す概略構成図、図５は、本実施形態の車両制御がなされる場合のタイムチャートの一例を示す図である。
【００４８】
図４に示すように、車両１には、ナビＥＣＵ４０が設けられている。ナビＥＣＵ４０は、図示しないナビゲーションシステムの制御装置である。ナビゲーションシステムとしては、自車両の現在位置を検出する自車位置検出装置や地図データベースを有する公知のシステムを用いることができる。ナビゲーションシステムは、他車両との車車間通信等によって外部から道路情報を取得できることが好ましい。ＥＣＵ２０は、ナビＥＣＵ４０と接続されており、ナビＥＣＵ４０からの信号に基づいて自車両位置や先方の走路に関する走行環境等を取得することができる。
【００４９】
図５を参照して説明するように、本実施形態の車両制御システム１−２は、ブレーキペダルの操作がなされてＡＢＳ装置１２が作動することを予測した場合であって、かつ、予測された操作に対応するブレーキブースタ負圧の低下によってエンジン１０の始動要求がなされると予測すると、ブレーキ操作がなされる前（ＡＢＳ装置１２が作動する前）にエンジン１０を始動させる。
【００５０】
図５において、（ａ）はブレーキブースタ負圧、（ｂ）はバッテリ１３の出力電圧を示す。符号１００は、本実施形態の制御がなされる場合のブレーキブースタ負圧の推移を示す。また、符号１０１は、従来のブレーキブースタ負圧の推移の一例を示す。符号Ｐｔ１および符号Ｐｔ２は、それぞれブレーキブースタ負圧に関する閾値を示す。
【００５１】
第二閾値Ｐｔ２は、上記第１実施形態の閾値Ｐｔ（図３参照）と同様の閾値であり、ブレーキブースタ負圧が第二閾値Ｐｔ２未満まで低下すると、ブレーキブースタ負圧に基づくエンジン１０の始動要求がなされる。また、第一閾値Ｐｔ１は、第二閾値Ｐｔ２および負圧変化量ΔＰに基づいて決定されるものである。負圧変化量ΔＰは、ブレーキ操作の開始時にブレーキペダルが踏み込まれてからブレーキペダルがリリースされてブレーキ操作が終了するまでの１回のブレーキ操作におけるブレーキブースタ負圧の減少量（の大きさ）を示す。
【００５２】
第一閾値Ｐｔ１は、第二閾値Ｐｔ２よりも大きな負圧であり、第一閾値Ｐｔ１と第二閾値Ｐｔ２との差は、負圧変化量ΔＰとされている。従って、現在の負圧室１５の負圧が第一閾値Ｐｔ１と第二閾値Ｐｔ２との間の負圧である場合に、次にブレーキ操作がなされると、ブレーキ操作の終了後のブレーキブースタ負圧が第二閾値Ｐｔ２よりも小さなものとなり、エンジン１０を始動する必要が生じると予測（推定）することができる。本実施形態では、ブレーキブースタ負圧が第一閾値Ｐｔ１未満であり、かつ第二閾値Ｐｔ２以上である場合に、ブレーキ操作がなされてＡＢＳ装置１２が作動すると予測されると、ＡＢＳ装置１２の作動前にエンジン１０が始動される。つまり、ＥＣＵ２０は、走行環境に加えて、ブレーキ操作によって値が変化する物理量であるブレーキブースタ負圧に基づいてエンジン１０を始動させるか否かを決定する。
【００５３】
負圧変化量ΔＰは、予め定められた値である。実際に運転者によりブレーキ操作がなされた場合のブレーキブースタ負圧の減少量は、ブレーキ操作量等によって変動する。負圧変化量ΔＰは、例えば、１回のブレーキ操作におけるブレーキブースタ負圧の減少量の最大値とすることができる。このように負圧変化量ΔＰが設定された場合、次のブレーキ操作によってブレーキブースタ負圧が第二閾値Ｐｔ２を下回る可能性が少しでもあると予測される場合には常にエンジン１０が始動される。その結果、ブレーキブースタ負圧が第二閾値Ｐｔ２未満に低下してエンジン１０の始動要求がなされる機会が減少する。このため、エンジン１０の始動要求とＡＢＳ装置１２の作動とが重なることを未然に抑制することができる。
【００５４】
ＥＣＵ２０は、このように、次にブレーキ操作がなされてブレーキブースタ負圧が低下するとエンジン１０の始動要求がなされると予測される場合、ブレーキ操作がなされる前にエンジン１０を始動させる。ＥＣＵ２０は、惰性走行中に、ナビＥＣＵ４０から取得した先方の走行環境に基づいて、ブレーキ操作がなされるか否かを判定する。具体的には、ＥＣＵ２０は、自車両の先方にブレーキ操作がなされると予測される走行環境、例えば、カーブ、交差点、踏切、信号等の減速や停車が必要となる走行環境が存在するかを判定する。また、ＥＣＵ２０は、ナビＥＣＵ４０から取得した先方の走行環境としての路面情報を取得する。路面情報は、例えば、路面がウエットであるかや路面が凍結しているか等の路面状態に関する情報である。ウエットな路面や凍結路等の路面μが小さな走路では、ブレーキ操作がなされた場合にＡＢＳ装置１２が作動しやすいと推定することができる。つまり、路面μが小さな走路は、ＡＢＳ装置１２が作動すると予測される走行環境である。
【００５５】
また、ＥＣＵ２０は、路面情報に代えて、車車間通信により取得した情報に基づいてＡＢＳ装置１２等のアシスト装置の作動を予測してもよい。例えば、先行車との通信により、先方の走路を走行中に先行車においてＡＢＳ装置等のアシスト装置が作動したことを示す情報を取得した場合、当該走路を自車両が走行するときにアシスト装置が作動すると予測することができる。
【００５６】
ＥＣＵ２０は、ブレーキブースタ負圧が第一閾値Ｐｔ１と第二閾値Ｐｔ２との間の負圧である場合であって、取得した走行環境に基づいて、ブレーキ操作がなされると予測される走行環境およびＡＢＳ装置１２が作動すると予測される走行環境が先方に存在する場合、ＡＢＳ装置１２の作動前にエンジン１０を始動させる。図５では、時刻ｔ３以前のブレーキブースタ負圧は第一閾値Ｐｔ１と第二閾値Ｐｔ２との間の負圧である。ブレーキ操作の予測に基づくエンジン始動がなされない従来の制御では、時刻ｔ４においてブレーキ操作が開始され、ブレーキブースタ負圧１０１が第二閾値Ｐｔ２を下回った時点でエンジン１０の始動要求がなされる。このときにＡＢＳ装置１２が作動していると、ＡＢＳ装置１２の作動とエンジン１０の始動とが重なることとなる。
【００５７】
これに対して、本実施形態の車両制御システム１−２では、走行環境に基づいてＡＢＳ装置１２の作動が予測されると、エンジン１０が始動される。時刻ｔ３において、ナビＥＣＵ４０からの情報に基づき、ブレーキ操作がなされてＡＢＳ装置１２が作動すると予測される走行環境が先方に検出される。これにより、ＥＣＵ２０は、時刻ｔ３においてスタータ１１によってエンジン１０を始動させる。その結果、本実施形態の制御がなされる場合のブレーキブースタ負圧１００は、時刻ｔ３から増加し、ブレーキ操作が開始される時刻ｔ４において十分な大きさの負圧となる。よって、ブレーキ操作がなされてもエンジン１０の始動要求が発生することがないため、ＡＢＳ装置１２の作動とエンジン１０の始動要求とが重なることが抑制される。
【００５８】
また、本実施形態では、ブレーキブースタ負圧が第一閾値Ｐｔ１以上である場合には、ＡＢＳ装置１２の作動が予測されてもエンジン１０が始動されない。つまり、ＥＣＵ２０は、ブレーキ操作がなされると予測される走行環境において実際にブレーキ操作がなされたとしてもブレーキブースタ負圧が第二閾値Ｐｔ２未満（エンジン１０の始動要求がなされる値）とならないと予測される場合には、エンジン１０を始動させない。これにより、予めエンジン１０を始動させることによる効果が見込める場合に限定して、ＡＢＳ装置１２の作動前にエンジン１０を始動させることができる。
【００５９】
ＡＢＳ装置１２の作動予測に基づいてエンジン１０を始動させる場合、運転者によってブレーキ操作がなされる前にエンジン１０の始動を完了できるように、ＥＣＵ２０は、少なくともエンジン１０の始動に要する時間で到達する地点よりも先方の走行環境を検出することが望ましい。すなわち、高車速で走行している場合には、低車速で走行している場合よりも先方の走行環境に基づいてブレーキ操作の予測やＡＢＳ装置１２の作動予測を行うようにすればよい。
【００６０】
なお、本実施形態では、ブレーキ操作がなされると予測される走行環境、およびＡＢＳ装置１２が作動すると予測される走行環境が共に先方に存在する場合にエンジン１０が始動されたが、これには限定されない。例えば、ブレーキ操作がなされると予測される走行環境、あるいはブレーキ操作がなされた場合にＡＢＳ装置１２が作動すると予測される走行環境の少なくともいずれか一方が先方に存在する場合に、ＡＢＳ装置１２の作動前にエンジン１０が始動されてもよい。
【００６１】
このように、ブレーキ操作がなされると予測される走行環境、あるいはＡＢＳ装置１２が作動すると予測される走行環境の少なくともいずれか一方が先方に存在する場合に、ＡＢＳ装置１２の作動前にエンジン１０が始動されるときには、第二閾値Ｐｔ２よりも大きなブレーキブースタ負圧であってもエンジン１０が始動される。一方、ブレーキ操作がなされると予測される走行環境、およびＡＢＳ装置１２が作動すると予測される走行環境のいずれの走行環境も先方に存在しない場合には、ブレーキブースタ負圧が第二閾値Ｐｔ２未満となってからエンジン１０が始動される。つまり、ブレーキ操作がなされると予測される走行環境、あるいはＡＢＳ装置１２が作動すると予測される走行環境の少なくともいずれか一方が先方に存在する場合、いずれの走行環境も先方に存在しない場合よりも大きなブレーキブースタ負圧においてエンジン１０の始動要求がなされることとなる。
【００６２】
アシスト装置が、ブレーキ操作がなされていない場合にも作動するものである場合、路面情報等のアシスト装置が作動すると予測される走行環境に基づいてエンジン１０が始動されることが好ましい。例えば、ＶＳＣ装置が、ブレーキ操作の有無にかかわらず作動可能なものである場合、ウエットな路面や凍結路など、ＶＳＣ装置の作動する可能性が高い走行環境が先方に検出された場合に、ブレーキ操作が予測されるか否かにかかわらずエンジン１０の始動要求がなされることが好ましい。
【００６３】
（第２実施形態の第１変形例）
ＡＢＳ装置１２等のアシスト装置が作動する可能性は、ブレーキ操作以外の操作、例えばステアリング操作がなされると予測されるかに基づいて予測されてもよい。ブレーキ操作以外の操作、例えばステアリング操作によっても、車両安定性が低下してアシスト装置が作動する可能性が高まると推定することができる。こうした車両安定性が低下する操作がなされると推定できる走行環境が先方に存在する場合にエンジン１０を始動させるようにすれば、アシスト装置の作動とエンジン１０の始動とが重なることがより確実に抑制される。
【００６４】
ＡＢＳ装置１２等のアシスト装置が作動する可能性は、走行環境だけでなく、車速等に基づいて予測されてもよい。また、運転者の技量や走行パターン等に基づいてアシスト装置の作動予測がなされてもよい。例えば、運転者の技量が低い場合や、大きな加減速度で車速をコントロールする運転者である場合には、運転者の技量が高い場合や小さな加減速度で車速をコントロールする運転者である場合よりも同じ走行環境に対してアシスト装置の作動する可能性を高めに見積もるようにしてもよい。
【００６５】
（第２実施形態の第２変形例）
本実施形態では、負圧変化量ΔＰが、１回のブレーキ操作におけるブレーキブースタ負圧の減少量の最大値とされたが、これには限定されない。負圧変化量ΔＰは、１回のブレーキ操作におけるブレーキブースタ負圧の減少量の範囲に基づいて設定されればよい。例えば、負圧変化量ΔＰは、ブレーキブースタ負圧の減少量の範囲の中間値や、最小値であってもよい。負圧変化量ΔＰがブレーキブースタ負圧の減少量の範囲における小さな値とされるほど、ブレーキ操作前にエンジン１０が始動される機会が少なくなるため、燃費を向上させる観点から有利となる。また、負圧変化量ΔＰは、走行環境や、運転者の技量や走行パターン等に基づいて可変とされてもよい。
【００６６】
例えば、走行環境に基づいて負圧変化量ΔＰが可変とされる場合、先方の走行環境に基づいてブレーキ操作量（ストローク）が推定される。例えば、先方のコーナに基づいてブレーキ操作がなされると予測される場合、そのコーナの曲率や現在車速、コーナまでの距離等に基づいてブレーキ操作量が推定される。推定されたブレーキ操作量から、コーナ進入時のブレーキ操作によって生じるブレーキブースタ負圧の減少量が推定され、推定された減少量に対応して負圧変化量ΔＰが決定される。推定された減少量が小さな場合には負圧変化量ΔＰが小さな値とされ、推定された減少量が大きな場合には負圧変化量ΔＰが大きな値とされる。このように走行環境に基づいて負圧変化量ΔＰが決定されるようにすれば、ブレーキ操作によりブレーキブースタ負圧が第二閾値Ｐｔ２未満となるか否かが精度よく判定可能となる。
【産業上の利用可能性】
【００６７】
以上のように、本発明にかかる車両制御システムは、エンジンを自動で始動させることが可能な車両に有用であり、特に、アシスト装置の作動とエンジンの始動とが重なることを抑制するのに適している。
【符号の説明】
【００６８】
１−１，１−２  車両制御システム
１  車両
１０  エンジン
１１  スタータ
１２  ＡＢＳ装置
１３  バッテリ
１４  ブレーキブースタ
１５  負圧室
１６  負圧センサ
２０  ＥＣＵ
３０  ブレーキ
４０  ナビＥＣＵ
Ｐｔ  閾値
Ｐｔ１  第一閾値
Ｐｔ２  第二閾値
ΔＰ  負圧変化量
【図１】
2011135725.tif 000003
【図２】
2011135725.tif 000004
【図３】
2011135725.tif 000005
【図４】
2011135725.tif 000006
【図５】
2011135725.tif 000007
【国際調査報告】
2011135725.tif 000008
2011135725.tif 000009
2011135725.tif 000010
2011135725.tif 000011